(57)【要約】【課題】本発明は魚釣用電動リールに関し、スプール駆動モータの放熱性能を高めて、加熱によるモータ性能の低下を防止したスプールインタイプの魚釣用電動リールを提供することを目的とする。【解決手段】請求項１に係る発明は、リール本体の側板間に回転自在に支持されたスプールの釣糸巻回胴部内の収容部に、スプールを巻取り駆動するスプール駆動モータを収容した魚釣用電動リールに於て、上記スプール駆動モータを収容部内に水密性を以って収容すると共に、当該収容部とスプールの側部との間に、収容部とスプール外部とを連通させて、スプール駆動モータから発する熱を外部に放熱する放熱路を設けたことを特徴とする。そして、請求項２に係る発明は、請求項１に記載の魚釣用電動リールに於て、スプールの釣糸巻回領域に、収容部とスプール外部とを連通させる通路を設けたことを特徴とする。【選択図】      図１
2005021085.tif 000002
【特許請求の範囲】
【請求項１】
リール本体の側板間に回転自在に支持されたスプールの釣糸巻回胴部内の収容部に、スプールを巻取り駆動するスプール駆動モータを収容した魚釣用電動リールに於て、
上記スプール駆動モータを収容部内に水密性を以って収容すると共に、
当該収容部とスプールの側部との間に、収容部とスプール外部とを連通させて、スプール駆動モータから発する熱を外部に放熱する放熱路を設けたことを特徴とする魚釣用電動リール。
【請求項２】
スプールの釣糸巻回領域に、収容部とスプール外部とを連通させる通路を設けたことを特徴とする請求項１に記載の魚釣用電動リール。
【発明の詳細な説明】
【０００１】
【発明の属する技術分野】
本発明は、リール本体に回転自在に支持されたスプールを巻取り駆動するスプール駆動モータを、スプールの釣糸巻回胴部内に収容した魚釣用電動リールに関する。
【０００２】
【従来の技術】
従来周知のように魚釣用リールは、海水，水，異物等が浸入，付着し易い厳しい状況下で使用されるため、実釣時にリール本体内の駆動部に水や異物等が浸入，付着しないようにしなければならない。とりわけ、スプール駆動モータ（以下、「スプールモータ」という）等の電装部品が装着された魚釣用電動リール（以下、「電動リール」という）にあっては、特に防水面での配慮が厳しく要求されている。
【０００３】
このため、スプールの釣糸巻回胴部内の収容部にスプールモータを収容した所謂スプールインタイプの電動リールに於ても、従来、スプールモータに対する様々な防止対策が施されている。
【０００４】
而して、電動リールは、実釣時に張力のかかった釣糸をスプールモータで巻き上げる構造上、スプールモータは発熱する。
しかし、上述したようにスプールインタイプの電動リールは、スプールモータがスプールの釣糸巻回胴部内に水密性を以って収容されているため、スプールモータの放熱性が悪く、長時間に亘る使用でスプールモータが加熱し、モータ性能が低下して巻上げ効率が悪くなってしまうといった構造上の問題点が指摘されている。
【０００５】
そこで、昨今、このようなスプールモータの放熱性の不具合を解消すべく、スプールフランジの外側面に吸水性の高い材料からなる吸水部材を取り付け、釣糸の巻回時に、釣糸に付着している水滴をこの吸水部材に集めてスプールを冷却することで、スプールモータの放熱性の向上を図った電動リールが知られている（特許文献１参照。）。
【０００６】
【特許文献１】
実開昭６４−１７１７０号公報（第１頁、第１図）
【０００７】
【発明が解決しようとする課題】
而して、上記電動リールは、釣糸の巻回時に、釣糸に付着する水滴がスプールフランジ外周とリール本体との微小間隙から内部に浸入する現象を利用し、斯様に内部に浸入する水滴を吸水部材で集めてスプールの冷却を図るものであるが、釣糸はスプールの釣糸巻回胴部に巻回されるため、巻回領域外のスプールフランジの外側面に取り付けた吸水部材に、釣糸に付着した水滴を安定して吸水させることができないのが実情であった。
【０００８】
また、この従来例は、吸水部材に吸水された水でスプールフランジを冷却する構成のため、スプールモータとの離間距離が大きく放熱効率が悪いといった不具合も指摘されている。
【０００９】
本発明は斯かる実情に鑑み案出されたもので、スプールモータの放熱性能を高めて、加熱によるモータ性能の低下を防止したスプールインタイプの電動リールを提供することを目的とする。
【００１０】
【課題を解決するための手段】
斯かる目的を達成するため、請求項１に係る発明は、リール本体の側板間に回転自在に支持されたスプールの釣糸巻回胴部内の収容部に、スプールを巻取り駆動するスプールモータを収容した電動リールに於て、上記スプールモータを収容部内に水密性を以って収容すると共に、当該収容部とスプールの側部との間に、収容部とスプール外部とを連通させて、スプールモータから発する熱を外部に放熱する放熱路を設けたことを特徴とする。
【００１１】
そして、請求項２に係る発明は、請求項１に記載の電動リールに於て、スプールの釣糸巻回領域に、収容部とスプール外部とを連通させる通路を設けたことを特徴とする。
【００１２】
（作用）
請求項１に係る発明によれば、スプールモータの駆動に伴いスプールモータは発熱するが、モータ駆動熱は放熱路を介してスプール外部に放熱される。
【００１３】
また、請求項２に係る発明によれば、放熱路を介してモータ駆動熱がスプール外部に放熱されると共に、釣糸巻回時に、釣糸に付着する水分がスプールの釣糸巻回領域に設けた通路から収容部内に流入して、スプールモータの冷却を図ることとなる。
そして、スプールモータは水密性を以って収容部内に収容されているため、通路を通って収容部内に流入した水分がスプールモータ内に浸入することがない。
【００１４】
【発明の実施の形態】
以下、本発明の実施形態を図面に基づいて詳細に説明する。
図１乃至図４は請求項１に係る電動リールの一実施形態を示し、図１に於て、１はフレーム３の左右の側枠５，７に側板９，１１が着脱自在に装着されたリール本体、１３はスプールで、フレーム３の左側の側枠５に、後述する筒状の収容体（モータケース）１５が取り付く支持板（セットプレート）１７がネジ１９で固定され、反対側の側板１１の下方に、手動巻取り駆動機構２１のハンドル２３が回転可能に取り付けられている。
【００１５】
而して、スプール１３の左右のスプールフランジ２５，２７間に位置する釣糸巻回胴部２９内には、スプール１３と軸心を同じくしてスプールフランジ２５側に開口する断面円形形状の凹状の収容部３１が設けられており、スプール１３のスプーフランジ２５側は、当該収容部３１内に収容された収容体１５の外周に軸受３３を介して回転可能に支持されている。また、スプール１３のスプールフランジ２７側は、図２及び図３の如く後述する遊星減速機構３７を収容，装着する凹状の遊星歯車機構装着部（以下、「装着部」という）３９を覆ってスプール１３の外側面４１にビス止めされたカバー４３と、側枠７にネジ止めした支持板（セットプレート）４５との間に装着した軸受４７を介してリール本体１に回転可能に支持されている。
【００１６】
そして、上記収容体１５内に、これと軸心を同じくしてスプールモータ４９が収容されており、その左モータ軸５１は、支持板１７に突設した筒状の軸受支持部５３内に一方向クラッチ５５を介して支持されている。
図１に示すように収容体１５はフレーム３や支持板１７と別体で、前記収容部３１内に若干の間隙を空けて収容可能な円筒状に成形されており、支持板１７側に開口するその開口部（モータ出入口）５７の外周に、径方向外方へ突出する環状のフランジ部５９が設けられている。
【００１７】
一方、支持板１７には、上記開口部５７の内周に沿って位置決め用の係合突起６１が環状に突設されており、当該係合突起６１に収容体１５の開口部５７を係合させてフランジ部５９をネジ１９で支持板１７に固定することで、収容体１５が支持板１７に一体的に取り付くようになっている。そして、係合突起６１の外周に設けた凹部６３内には、Ｏ−リング等の弾性シール部材６５が介装されており、当該弾性シール部材６５によって収容体１５と支持板１７の接合部分の水密性が確保されている。
【００１８】
更に、スプールモータ４９の水密性を確保するため、スプールモータ４９の左モータ軸５１側の端面６７と既述した軸受支持部５３の先端との間に環状の弾性シール部材６９が介装されると共に、当該軸受支持部５３の内周に筒状の弾性シール部材７１が一方向クラッチ５５との間に介装されている。そして、スプールモータ４９の電気接点７３に接続された電気ライン７５が支持板１７を貫通して配線されているが、当該電気ライン７５と支持板１７との間にも弾性シール部材７７が介装されて、収容体１５に対する水密性が確保されている。
【００１９】
そして、図１中、７９は収容体１５内に収容されたスプールモータ４９の回転を防止する回止め機構で、当該回止め機構７９は支持板１７から軸方向に伸びる支持体８１と、当該支持体８１が係合可能にスプールモータ４９の端面６７に形成された凹部８３とで構成されている。
一方、図２に示すように収容体１５は、スプールモータ４９の右モータ軸８５側もそのまま開口し、この開口部８７から右モータ軸８５が側板１１方向に突出しているが、開口部８７の周縁部には内方へ屈曲した縮径部８９が設けられている。そして、当該開口部８７を覆って、スプールモータ４９の端面９１の形状に沿って硬質材料で成形されたキャップ９３が縮径部８９に冠着されている。
【００２０】
キャップ９３は、縮径部８９に嵌合する外端部９５と、右モータ軸８５が挿通するモータ軸挿通孔９７が中央に形成された内周縁部９９と、これらを連結して開口部８７を閉塞するキャップ本体部１０１とからなり、外端部９５は前記縮径部８９の凹部１０３内に装着した弾性シール部材１０５に圧接して、その嵌合部分の水密性を確保している。
【００２１】
また、右モータ軸８５が挿通するモータ軸挿通孔９７から収容部３１への水の浸入を防止するため、キャップ９３とスプールモータ４９の端面９１との間に略筒状の弾性シール部材１０７が介装されている。
弾性シール部材１０７は、スプールモータ４９の軸受部１０９の外周と端面９１との間にキャップ９３で挟持される外端フランジ部１１１と、右モータ軸８５の外周にシール状態で接触する内周縁部１１３とで構成されており、この弾性シール部材１０７によってモータ軸挿通孔９７からの水の浸入防止が図られている。そして、キャップ９３は、スプール１３の内周から径方向に突設されて収容部３１と前記装着部３９とを区画する円盤状の支持部１１５に軸受１１７を介して支持されており、スプール１３は、既述した軸受３３，４７とこの軸受１１７によってリール本体１に回転可能に支持されている。
【００２２】
このように本実施形態は、スプールモータ４９を釣糸巻回胴部２９の収容部３１内に装着するに当たり、弾性シール部材６５，６９，７１，７７，１０５，１０７を用いてスプールモータ４９を収容体１５内に収容し、これらを収容部３１内に収容してスプールモータ４９に対する水密性を確保したが、この反面、斯様に水密性を以ってスプールモータ４９を釣糸巻回胴部２９内に収容すると、スプールモータ４９の放熱性が悪く、長時間に亘る使用でスプールモータ４９が加熱してしまう虞がある。
【００２３】
そこで、図１乃至図４に示すように本実施形態は、スプール１３の収容部３１とスプールフランジ２７側の外側面４１とに開口して当該収容部３１をスプール外部に連通させる放熱路１１９を、スプール１３の軸方向に沿って周方向へ複数設けたもので、図３の如く外側面４１にはカバー４３の周縁部に沿って各放熱路１１９が半円状に開口している。そして、スプールモータ４９の駆動で発生したモータ駆動熱が、これらの放熱路１１９を通って外部に放熱されるようになっている。
【００２４】
その他、図１中、３７は３つの遊星歯車機構１２１，１２３，１２５からなる既述した遊星減速機構で、当該遊星減速機構３７は装着部３９内に突出する右モータ軸８５に装着されている。
そして、図１及び図２に示すように右モータ軸８５と側板１１との間に、手動巻取り駆動機構２１からの巻取り動力を遊星減速機構３７に伝達する回転駆動軸１２７が右モータ軸８５と同軸上に取付けられており、当該回転駆動軸１２７は、３つの軸受１２９，１３１，１３３を介して前記カバー４３と側板１１間に回動自在に支持されている。そして、回転駆動軸１２７に第３の遊星歯車機構１２５のキャリア１３５が係止ピン１３７を介して連結されている。
【００２５】
更に、回転駆動軸１２７上には、釣糸の繰り出しで回転するスプール１３に制動力を付与し乍ら、スプール１３の釣糸繰出し方向への回転を許容する制動作用を与えると共に、この制動作用を利用してスプール１３をスプールフリー状態と釣糸巻取り状態とに切り換える従来周知のドラグ装置１３９が装着されており、回転駆動軸１２７上の側板１１にドラグ装置１３９のドラグ力を調節するドラグレバー１４１が取り付けられている。
【００２６】
そして、ドラグ装置１３９を構成する押圧体１４３の外周にピニオン１４５が当該押圧体１４３と一体回転可能に嵌合し、このピニオンギヤ１４５に手動巻取り駆動機構２１のドライブギヤ１４７が噛合している。
従来周知のように手動巻取り駆動機構２１は、図１に示すようにハンドル２３と、当該ハンドル２３が取り付くハンドル軸１４９と、これに回止め嵌合されたドライブギヤ１４７とで構成されており、ハンドル軸１４９の挿入先端側には、スプール１３をスプールモータ４９で巻取り駆動した際に、これに連動してハンドル軸１４９が回転しないようにその逆転防止を図る逆転防止装置１５１が設けられている。
【００２７】
この逆転防止装置１５１は、ハンドル軸１４９に回止め嵌合されたラチェット１５３と、当該ラチェット１５３に対し一定の付勢力で常時係止する係止爪（図示せず）とからなり、スプールモータ４９でスプール１３を巻取り駆動した際に、その回転方向ではラチェット１５３に係止爪が係止方向で噛み合ってラチェット１５３の回転、即ち、ハンドル軸１４９の回転が阻止されるようになっている。
【００２８】
従って、スプールモータ４９の駆動力は、遊星減速機構３７を介してスプール１３のみに伝達されることとなる。また、これに対し、ハンドル操作でスプール１３を釣糸巻取り方向に回転させた場合、その回転方向では係止爪がラチェット１５３の回転を許容するように構成され、この結果、ハンドル２３の回転操作に連動してハンドル軸１４９を回転させることができるようになっている。
【００２９】
そして、図１中、１５５は電動リール１５７のコネクタ１５９に接続した給電コードを示す。
また、図３及び図４に於て、１６１，１６３は、夫々、第３の遊星歯車機構１２５を構成する太陽歯車とこれに噛合する複数の遊星歯車で、太陽歯車１６１は軸受１６５を介して右モータ軸８５に回転可能に支持され、遊星歯車１６３は前記キャリア１３５に支持されている。そして、各遊星歯車１６５は、スプール１３（装着部３９）の内周に設けた内歯歯車１６７に常時噛合した構造となっている。
【００３０】
本実施形態はこのように構成されており、スプールモータ４９をスプール１３の収容部３１に収容するには、先ず、弾性シール部材６９，１０７が装着されたスプールモータ４９を、弾性シール部材１０５を介してキャップ９３が端部に冠着された収容体１５内に収容する。これにより、弾性シール部材１０７の外端フランジ部１１１がスプールモータ４９の端面９１とキャップ９３とで挟持され、モータ軸挿通孔９７から右モータ軸８５が所定の同芯度を以って突出する。
【００３１】
そして、支持板１７に突設した支持体８１をスプールモータ４９の凹部８３に係合させてスプールモータ４９の回り止めを図り乍ら、一方向クラッチ５５が装着された左モータ軸５１を支持板１７の軸受支持部５３内に挿入した後、フランジ部５９を支持板１７にネジ１９で固定すればよく、ネジ１９の締付けで収容体１５は支持板１７に圧接し、これによりスプールモータ４９は、弾性シール部材６９，１０７を介して支持板１７と収容体１５，キャップ９３との間でガタ付くことなく保持される。
【００３２】
また、ネジ１９を締め込んでいく過程で、スプールモータ４９は、弾性シール部材６７，７１，１０７の弾性作用によって左右のモータ軸５１，８５の同芯度が微調整される。
そして、斯様に収容体１５が固着された支持板１７をフレーム３の側枠５にネジ１９で固定すればよく、ネジ１９を締め込んでいく過程で、弾性シール部材６９，７１，１０７の弾性作用によってスプールモータ４９の左右のモータ軸５１，８５がスプール１３や回転駆動軸１２７の軸芯と一致するように微調整され、また、スプールモータ４９の駆動時に於ても、弾性シール部材６９，７１，１０７の弾性作用によって左右のモータ軸５１，８５がスプール１３や回転駆動軸１２７の軸芯と一致するように微調整されることとなる。そして、各弾性シール部材６５，６９，７１，７７，１０５，１０７が、収容体１５内部への海水や異物等の浸入を防止する。
【００３３】
そして、実釣時にスプールモータ４９の駆動やハンドル２３の巻取り操作でスプール１３の釣糸巻回胴部２９に釣糸が巻回され、このスプールモータ４９の巻取り駆動中にスプールモータ４９は発熱し、このモータ駆動熱で収容体１５は加熱するが、既述したように本実施形態は、収容体１５が収容された収容部３１をスプール外部に連通させる放熱路１１９をスプール１３に複数設けているため、モータ駆動熱は収容体１５から各放熱路１１９を介してスプール外部に放熱されることとなる。
【００３４】
このように本実施形態は、収容部３１をスプール外部に連通させる放熱路１１９をスプール１３に複数設けたので、既述した特許文献１の従来例に比し、巻取り駆動中に発生するモータ駆動熱を放熱路１１９を介してスプール外部に効率良く安定して放熱でき、加熱によるモータ性能低下を確実に防止することが可能となった。
【００３５】
また、本実施形態は、支持板１７をフレーム３に着脱自在に構成すると共に、収容体１５を当該支持板１７から着脱自在に構成したので、長期に亘る使用で放熱路１１９から収容部３１内に異物等が入り込んでも、メンテナンスが容易である利点を有する。
図５は請求項１及び請求項２に係る電動リールの一実施形態を示し、本実施形態に係る電動リール１５７−１は、既述した電動リール１５７の構成に加え、遊星減速機構３７と反対側のスプールフランジ２５側の軸受３３で支持される部分に、収容部３１とスプール１３−１の外側面１６８とに開口して当該収容部３１をスプール外部に連通させる放熱路１１９−１を、軸受３３の支持作用に支障のないように周方向に複数形成して、モータ駆動熱を各放熱路１１９−１からスプール外部に放熱させるように構成すると共に、スプール１３−１の釣糸巻回領域である釣糸巻回胴部２９に、収容部３１に通じる円形状の貫通孔からなる通路１６９を当該釣糸巻回胴部２９の周方向と軸方向に複数設けて、釣糸巻回胴部２９に巻回された釣糸に付着している水分がこの通路１６９から収容部３１内に流入するようにしたもので、既述したように収容体１５はモータ駆動熱で加熱しているため、収容部３１内に流入した水分は収容体１５の熱で気化し、この気化熱でスプールモータ４９の放熱が図られるようになっている。そして、この通路１６９は、上述したように釣糸に付着している水分を収容部３１内に誘導する水路や水分が気化する際の蒸気路として機能する他、前記放熱路１１９，１１９−１と同様、モータ駆動熱の放熱路としても機能する。
【００３６】
そして、既述したように収容体１５内に収容されたスプールモータ４９は、弾性シール部材６５，６９，７１，７７，１０５，１０７によって水密性が確保されているため、通路１６９を通って収容部３１内に流入した水分が収容体１５内に浸入することはない。
尚、その他の構成は図１の実施形態と同様であるので、同一のものには同一符号を付してそれらの説明は省略する。
【００３７】
本実施形態はこのように構成されており、各放熱路１１９，１１９−１を介してモータ駆動熱の放熱が行われるが、本実施形態では、釣糸巻回胴部２９に巻回された釣糸に付着する水分が複数の通路１６９から収容部３１内に流入する。そして、収容部３１に収容されている収容体１５はモータ駆動熱で加熱しているため、収容部３１内に流入した水分は収容体１５の熱で気化して放熱路１１９，１１９−１と通路１６９から外部に放出され、この気化熱でスプールモータ４１の放熱が行われることとなる。
【００３８】
このように本実施形態は、図１の実施形態の放熱路１１９に加え、スプールフランジ２５側にも放熱路１１９−１を複数設けると共に、スプール１３−１の釣糸巻回胴部２９に収容部３１に通じる通路１６９を複数設けて、釣糸に含まれる水分を釣糸巻回時に安定して収容部３１内に誘導するように構成したので、図１の実施形態に比し、更にスプールモータ４９の放熱を効率良く行え、加熱によるモータ性能低下をより確実に防止することが可能となる。
【００３９】
また、本実施形態も、支持板１７をフレーム３に着脱自在に構成すると共に、収容体１５を当該支持板１７から着脱自在に構成したので、長期に亘る使用で放熱路１１９，１１９−１や通路１６９から収容部３１内に異物等が入り込んでも、メンテナンスが容易である利点を有する。
尚、前記放熱路１１９，１１９−１や通路１６９の形状や個数，配置等は、必要に応じ適宜変更可能である。
【００４０】
【発明の効果】
以上述べたように、請求項１に係る発明によれば、巻取り駆動中に発生するモータ駆動熱を放熱路を介してスプール外部に効率良く放熱することができるため、加熱によるモータ性能低下を防止することが可能となった。
そして、請求項２に係る発明によれば、釣糸巻回時に、釣糸に付着している水分が釣糸巻回領域に設けた通路から収容部内に流入してスプールモータの冷却を図るため、更にスプールモータの放熱を効率良く行え、加熱によるモータ性能低下をより確実に防止することができる利点を有する。
【００４１】
また、スプールモータは水密性を以って収容部内に収容されているため、通路を通って収容部内に流入した水分によってスプールモータが劣化することもない。
【図面の簡単な説明】
【図１】請求項１の一実施形態に係る電動リールの断面図である。
【図２】図１に示す電動リールの要部拡大断面図である。
【図３】図１のＩＩＩ−ＩＩＩ線断面図である。
【図４】外側面に取り付くカバーを外したスプールの要部切欠き側面図である。
【図５】請求項１及び請求項２の一実施形態に係る電動リールの断面図である。
【符号の説明】
１  リール本体
３  フレーム
５，７  側枠
９，１１  側板
１３，１３−１  スプール
１５  収容体
１７  支持板
２３  ハンドル
２５，２７  スプールフランジ
２９  釣糸巻回胴部
３１  収容部
３７  遊星減速機構
３９  装着部
４１，１６８  外側面
４３  カバー
４９  スプールモータ
５１  左モータ軸
６５，６９，７１，７７，１０５，１０７  弾性シール部材
８５  右モータ軸
９３  キャップ
１１９，１１９−１  放熱路
１２７  回転駆動軸
１３９  ドラグ装置
１５７，１５７−１  電動リール
１６９  通路
【図１】
2005021085.tif 000003
【図２】
2005021085.tif 000004
【図３】
2005021085.tif 000005
【図４】
2005021085.tif 000006
【図５】
2005021085.tif 000007